(57)【特許請求の範囲】
【請求項１】
スチーム発生機構を内蔵した本体に対して開閉自在に基台を設け、本体の基台との対向面にスチームを噴出させるスチーム噴出孔を臨ませ、本体と基台との各対向面からそれぞれ他方の対向面に向けてブリスルをそれぞれ突設し、本体と基台との各対向面にブリスルの突出方向と略直角の面で毛髪を両側から挟持する押え板をそれぞれ設け、押え板の毛髪を押さえる平面部分がブリスルの根元よりもブリスルの突出先端側の位置に形成されて成ることを特徴とするスチームヘアーセッター。
【請求項２】
ブリスルの先端は押え板により形成される毛髪を押さえる面よりも高い位置に突出して成ることを特徴とする請求項１記載のスチームヘアーセッター。
【請求項３】
ブリスル及び押え板の外側にブリスル及び押え板を通過した毛髪を押さえる突出部を設け、この突出部の高さを押え板により形成される毛髪を押さえる面と同一高さ又はそれよりも低い位置に設定して成ることを特徴とする請求項１記載のスチームヘアーセッター。
【請求項４】
隣合うブリスル同士をつなぐ突出部を設け、この突出部の高さを押え板により形成される毛髪を押さえる面と同じ高さ又はそれより低く設定して成ることを特徴とする請求項１記載のスチームヘアーセッター。
【請求項５】
スチーム噴出孔の両側にブリスル及び押え板を設置し、押え板を加熱して熱板としたことを特徴とする請求項１記載のスチームヘアーセッター。
【発明の詳細な説明】
【０００１】
【産業上の利用分野】
本発明は、例えば癖毛をストレートにするためのスチームヘアーセッターに関する。
【０００２】
【従来の技術】
従来より、女性が持っている髪に関する悩みの１つとして、個々の髪質により髪が特有の曲がった形状をしているといった、癖毛の毛髪がある。このような癖毛は、パーマ等で付けたウェーブとは異なり、生まれながらの髪質であり、矯正することが難しい。
【０００３】
そこで、癖毛をストレートにする器具としては、熱板により毛髪を挟み込むヘアーアイロンが知られている。
【０００４】
【発明が解決しようとする課題】
ところが、従来のヘアーアイロンは、熱板の面により毛髪の癖を矯正するものであるから、熱板の面と同一方向にある癖、曲がり等をとることができず、しかも、従来のような毛髪の挟み込み方式では、頂頭部の癖を取ることもできない。また癖毛の女性は、２本のブラシで毛髪を挟んだ状態で櫛通しをするといった方法で癖直しをしている人もいるが、この場合もブラシの直立方向と同一方向にある癖を取ることは困難であり、ストレートの状態を持続させる効果も少ない。
【０００５】
また、癖毛は水分を保給すると水分により毛髪が軟らかくなり、伸びる傾向がある。そこで、スチーム等を毛髪に与えて癖毛を伸ばす方法が有効であるが、自然乾燥にまかせた場合、元の癖が発生するために、やはりストレートの状態を長く持続することができないという問題がある。尚、ストレートの状態を長く持続させる方法としては、ストレートパーマーがあるが、薬品により毛髪が痛むという問題がある。
【０００６】
本発明は、上記従来の課題に鑑みてなされたもので、その目的とするところは、生まれながらの髪質による癖毛や、矯正が困難とされている癖毛を容易にストレートに伸ばすことができると共にストレートの状態を長く持続させることができ、また従来のヘアーアイロン等では挟み込むことが困難であった頂頭部付近の癖毛も容易に伸ばすことができ、さらに毛髪を傷めることなく癖毛をストレートに伸ばすことができるようにしたスチームヘアーセッターを提供するにある。
【０００７】
【課題を解決するための手段】
上記課題を解決するために、本発明は、スチーム発生機構２を内蔵した本体１に対して開閉自在に基台７を設け、本体１の基台７との対向面にスチームを噴出させるスチーム噴出孔１２を臨ませ、本体１と基台７との各対向面からそれぞれ他方の対向面に向けてブリスル１７をそれぞれ突設し、本体１と基台７との各対向面にブリスル１７の突出方向と略直角の面で毛髪を両側から挟持する押え板１６をそれぞれ設け、押え板１６の毛髪を押さえる平面部分がブリスル１７の根元よりもブリスル１７の突出先端側の位置に形成されて成るものである。
【０００８】
【作用】
本発明によれば、スチームを噴出させるスチーム噴出孔１２の近傍に配設されたブリスル１７の直立方向と略直角の面で、毛髪を両側から挟持する押え板１６を設けるようにしたから、ブラシ８により毛髪をブラッシングする際に、毛髪はブリスル１７により櫛通しされてブリスル１７と直交する方向の癖が矯正されつつ、押え板１６により直立方向と略直角の面でプレスされ、ブリスル１７を通過してしまうブリスル１７の直立方向の癖、曲がりを伸ばすことができる。しかも、ブリスル１７及び押え板１６を通過した毛髪にスチーム噴出孔１２からのスチームを当てて吸水することにより、ブリスル１７、押え板１６で伸ばされた毛髪がスチームによってさらに伸ばされ、毛髪の内部から癖毛を伸ばすことができるので、ストレートの状態を長く保持でき、癖が戻ることがなくなる。また、押え板１６の毛髪を押さえる平面部分がブリスル１７の根元よりもブリスル１７の突出先端側の位置に形成されて成るから、ブリスル１７を通過した後の毛髪が押え板１６に接触できなくなるという事態を回避でき、毛髪を押え板１６にて確実にプレスして、加熱することができる。
【０００９】
【実施例】
（実施例１）
以下、本発明の第１の実施例を図１乃至図６に示す。本実施例のスチームヘアーセッターは、図１乃至図６に示すように、スチーム発生機構２を内蔵しているヘッド部４と、回路部５を内蔵しており使用時に保持する部分であるハンドル３とから成る本体１と、本体１の先端側に着脱可能であり、スチーム発生機構２へ水を供給する手段であるタンク６と、本体１のタンク６とは反対側の端部に支持されて本体１に対して開閉操作自在となった基台７と、基台７の本体１側から見て裏面側に着脱自在に装着されるブラシ８とを備える。そして、タンク６からフェルト９を介してヒータパイプ１０へ供給された水は、ヒータパイプ１０により加熱されて蒸気化し、この部分で発生したスチームは、スチーム発生機構２に設置された放電電極１１間の放電により、弱酸性化し、その粒子は微細化されて本体１のスチーム噴出孔１２から放出されるようになっている。ここで図１〜図３は本体１のヘッド部４と基台７との間に毛髪１５（以下「髪」と略称する。）を挟んで癖直しを行なう場合を示しており、図４〜図６は本体１にブラシ８を装着してブラッシングにより癖直しを行なう場合を示している。
【００１０】
図３において、本体１のヘッド部４における髪と接する側には、その中央部にスチームが噴出するスチーム噴出孔１２が形成され、このスチーム噴出孔１２の両外側に押え板１６が夫々設置され、さらに押え板１６の両外側に複数本のブリスル１７が夫々設置されている。一方、基台７にも、本体１の押え板１６及びブリスル１７に夫々対向する位置に同様な押え板１６とブリスル１７とが夫々設置されている。また、本体１側の押え板１６は、スチーム噴出孔１２が形成されている面と同じ材質、例えばアルミニウム等の金属で一体形成されており、スチームにより加熱されると共に、押え板１６の端部はヒータパイプ１０と接触しており、ヒータパイプ１０によって直接加熱されるので、押え板１６を熱板として使用できるものである。ここで、スチームにより吸水された直後に髪を乾燥させる手段として、押え板１６を加熱する方法以外に、例えばブリスル１７を加熱する方法、或いは温風を当てる方法、或いは遠赤外線を当てる方法を採用してもよい。
【００１１】
次に、先ずブラシ８を使用しないで癖直しを行なう方法を説明する。
【００１２】
図１〜図３に示すように、ブラシ８を装着せず、本体１と基台７との間に髪を挟み込み、両者１，７を閉じた状態で、スチームを発生させると、本体１のスチーム噴出孔１２からスチームが噴出する。この状態でスチームヘアーセッターを図３の矢印方向に移動させると、髪はブリスル１７→押え板１６→スチーム噴出孔１２→押え板１６→ブリスル１７の順で通過する。このとき、髪は最初にブリスル１７により櫛通しされてブリスル１７と直交する方向の癖が矯正される。次に、ブリスル１７を通過した後の髪は押え板１６によりプレスされる。このとき、押え板１６は直立方向と略直角の面で髪をプレスするので、ブリスル１７を通過してしまうような髪のブリスル１７の直立方向の癖、曲がりを伸ばすことができる。しかも、押え板１６はスチームで加熱されているので、癖直しが効果的に行なわれる。そして、この押え板１６を通過した髪は、スチーム噴出孔１２の上方に達してスチームが当てられ、吸水されるので、ブリスル１７、押え板１６で伸ばされた状態でスチームによってさらに伸ばされ、その後、スチーム噴出孔１２を通過した髪は押え板１６で再びプレスされ、ブリスル１７で再び櫛通しされる。このとき、髪はスチームで吸水された直後に、加熱された押え板１６（熱板）にて加熱されるので、髪の癖が取れて伸びたままの状態で乾燥され、ストレートの状態が長く保持され、自然乾燥により癖が戻ることがなくなる。
【００１３】
このように、ブリスル１７による癖伸ばしと押え板１６による毛伸ばしとを同時に行なうことができ、しかもブリスル１７と押え板１６とは癖毛を矯正する方向が略直角方向であるために、癖毛の任意の方向の曲がりや微妙な曲がりまで容易に矯正することができ、そのうえスチームで吸水された直後の髪を加熱することによって、髪の癖が取れて伸びたままの状態で乾燥させることができるので、自然乾燥により癖が戻るのをより確実に防止でき、ストレートの状態をより長く持続することができるものである。
【００１４】
しかも、押え板１６を髪に水分を与えるためのスチームに接触させることで、スチーム発生機構２を押え板１６の加熱手段として兼用でき、部品点数を削減できる。さらに、スチーム発生部からスチーム噴出孔１２に至る径路の途中に放電電極１１を配置し、スチームを放電により微細化することで、スチームの髪への浸透性が良く、髪の癖直しを最も効果的に行なうことができ、またスチームは弱酸性化されているので、髪を傷めることなく伸ばすことができる。さらにスチームを噴出するスチーム噴出孔１２の両側にブリスル１７及び押え板１６を配置したことにより、使用者はどちらの方向からブラッシングしても、同一の癖直し効果を得ることができ、使い勝手を良くすることができるという利点もある。
【００１５】
また、押え板１６を以下の構成としたことで、癖直しをより効果的に行なうことができる。つまり、図３に示すように、押え板１６の髪を押さえる平面部分をブリスル１７の根元の底面よりも高い位置に形成してあるので、ブリスル１７を通過した後の髪が押え板１６に接触できなくなるという事態を回避でき、髪を押え板１６にて確実にプレスして、加熱することができるものである。またこのとき、ブリスル１７の先端を押え板１６により形成される髪を押さえる面よりも高い位置に突出させてあるから、髪がブリスル１７に櫛通しされる際に押え板１６が邪魔になることがなく、すべてのブリスル１７で髪を確実に捕らえることができる。また、ブリスル１７及び押え板１６の外側にブリスル１７及び押え板１６を通過した髪を押さえる突出部２０が形成されており、この突出部２０の高さを押え板１６により形成される髪を押さえる面よりも低い位置（同一高さであってもよい。）に設定してあるので、押え板１６を通過した髪が突出部２０にて押さえられ、押え板１６を通過した後での髪の曲がりを防止できるようなっており、さらにこの突出部２０は隣合うブリスル１７間にも形成されており、この突出部２０は隣合うブリスル１７同士をつなぐ形で配置され、ブリスル１７を通過した後の髪の曲がりを防止できると同時に、ブリスル１７の補強効果が得られるものである。
【００１６】
また、本体１のスチーム噴出孔１２が形成されている面を押え板１６により形成される髪を押さえる面より低い位置（同一高さであってもよい。）に設定したことにより、スチーム噴出孔１２が髪で塞がれてしまう心配がなくなり、さらに、本体１側の押え板１６と基台７側の押え板１６とはスチーム噴出孔１２を囲む箱形状に形成されているので、スチームを押え板１６間にこもらせることができ、スチームを漏れなく髪に与えることができる。さらに押え板１６をブリスル１７が形成されている面と一体形成することによって、押え板１６とブリスル１７とを同時に加熱することができ、癖直しをより効果的に行なうことができる。また、図１に示すように、押え板１６の先端部１６ａを略曲面状に傾斜させたことにより、押え板１６の先端部１６ａが滑らかな形状となり、髪を押え板１６に引掛けることなく、本体１と基台７との間にスムーズに取り込むことができるという利点もある。なお、本体１側の一対の押え板１６をスチーム噴出孔１２を囲む位置で連続形成してもよく、この場合、押え板１６を均一に加熱でき、髪に熱を均一に伝えることができるようになる。また、本体１側の押え板１６と基台７側の押え板１６との対向面の間に髪の厚みを考慮して数ミリ程度の隙間を設けておくことにより、押え板１６の間でプレスされる髪を押え板１６の間をつっかかることなくスムーズに通過させることができるようになる。
【００１７】
一方、ブリスル１７を以下のように構成したことで、癖直しをより効果的に行なうことができる。つまり、図１に示すように、各ブリスル１７をスチーム噴出孔１２を挟んで左右２列に配置すると共に、個々のブリスル１７相互間に対向するブリスル１７が入り込むようにすることによって、対向するブリスル１７同士が互いにかみ合うことができ、ブリスル１７間に髪を挟み込むことができなくなるのを防止することができる。なお、ブリスル１７の配列は、図１の実施例に限られるものではなく、例えば本体１側の複数のブリスル１７を前後左右に配列し、隣合う４本のブリスル１７を１組として、四辺形の頂点となる位置に４本のブリスル１７を夫々配設し、各ブリスル１７の対角線の交点となる位置に、基台７側のブリスル１７が挿入できるようにした場合でも、本体１側のブリスル１７と基台７側のブリスル１７とが互いにかみ合うことができ、髪を本体１側のブリスル１７と基台７側のブリスル１７とで両側から挟み込んで、髪を確実に捕らえることができるものである。なお、ブリスル１７は基台７又は本体１のいずれか片側のみに配設するようにしてもよいが、ブリスル１７の本数を増やしてブリスル１７間の間隔を細かく設定し且つ髪が通る隙間をより小さくして髪をストレートに伸ばすことができる点を考慮して、ブリスル１７を本体１と基台７の両側に配設するのが好ましい。この場合、図３に示すように、各ブリスル１７の先端を、押え板１６により形成される髪を押さえる面よりも高い位置に突出させることによって、髪がブリスル１７に櫛通しされる際に押え板１６が邪魔になることがなく、すべてのブリスル１７で髪を確実に捕らえることができる。
【００１８】
次に、ブラシ８を用いて毛髪の癖直しを行なう場合を説明する。
【００１９】
図６に示すように、スチーム噴出孔１２が設けられる本体１と対向する基台７に、スチーム噴出孔１２から見て反対側の面にブラシ８を着脱自在に装着し、ブラシ８の筒部１３を介して開口部１４からスチームを噴出させることにより、ブラシ８で髪をブラッシングする際に、髪を挟み込むことが難しい頂頭部の髪を伸ばすことができる。このとき、スチーム噴出孔１２の周囲にゴム等の弾性体２３を設け、ブラシ８の筒部１３に弾性体２３を押圧する突起２２を突設させてあるので、スチームの漏れを確実に防止できる。さらに、基台７には筒部１３と係合する開口部（通気口）２１が設けられており、この開口部２１はブラシ８の非装着時には通常は閉じられ、ブラシ８を装着した時のみ開放されるようになっている。その方法として、例えばブラシ８を装着したときに筒部１３に押圧されて開口部２１を開き、ブラシ８が取外されたときに開口部２１を閉じる弁機構を用いるようにしてもよく、これにより、ブラシ８を装着しないとき、つまり、ブリスル１７間に髪を挟んでスチームを発生させるときに、基台７からスチームが漏れ出るのを防ぐことができる。
【００２０】
ここで、押え板１６は本体１のスチーム噴出孔１２が形成されている面に一体形成されているので、スチーム噴出孔１２が形成されている面も同時に加熱されるようになり、スチーム噴出孔１２が形成されている面の表面側でスチームが結露するのを防止できる。また、基台７の開口部２１がスチーム噴出孔１２が占める面積より大きく形成されているので、開口部１４が小さい場合に生じる開口部１４付近でのスチームの結露を効果的に防止することができると共に、ブラシ８には本体１側のスチーム噴出孔１２の占める面積よりも大きい単一のスチーム噴出用の開口部１４を形成したから、例えば小さい複数の開口部を面に設けた場合のように、スチームを発生した場合に面が障害となった生じる結露の発生を防止することができる。そのうえ、開口部１４に通じる筒部１３の内壁面に開口面積が徐々に広くなる傾斜を設けたことにより、内壁面にスチームが通過する上で障害となる部分がなくなり、筒部１３でのスチームの結露もまた効果的に防止することができるという利点がある。
【００２１】
次に、ブラシ８の着脱方法を説明する。
【００２２】
図５に示すように、本体１のタンク６の側端部には係合孔２４が設けられ、ブラシ８の先端側に設けられたフック２５が該係合孔２４に係脱自在に引掛けられるようになっており、ブラシ８の先端側を基台７に押し当てることによってフック２５が係合孔２４に係合して、ブラシ８の先端側が本体１に係合されるようになっている。これらフック２５と係合孔２４は本体１の最先端側に位置しているので、髪を挟み込んで使用する際に邪魔にならなくなる。また、基台７の基端側には鉤部２８付き操作子２６がスライド自在に配設されると共に、ブラシ８の基端側には該鉤部２８の先端部２８ａに係脱自在に引掛けられるフック２７が設けられており、また操作子２６はバネ３０により先端側に向けて常にバネ付勢されており、ブラシ８の基端側を基台７に押し当てることによってフック２７が操作子２６の鉤部２８の先端部２８ａにスライド係合して、ブラシ８の基端側が基台７に係合されるようになり、また、操作子２６をバネ３０のバネ力に抗して基端側に操作することにより、操作子２６と一体に設けられている鉤部２８の先端部２８ａがフック２７から離脱して、ブラシ８の基端側を基台７から取外せるようになる。このときブラシ８の先端側のフック２５は本体１側の係合孔２４に引掛けられているにすぎないため、ブラシ８の先端側を本体１から取外すことができ、この結果、ブラシ８を本体１及び基台７から取外し可能となる。このとき、操作子２６を使用時に手で支持する部分となるハンドル３側に設けてあるので、ブラシ８を外す際に手を持ち変える必要がなく、着脱の際にブラシ８を手で持つのと同一の操作でブラシ８の着脱を行なうことができ、操作性が良くなる。
【００２３】
ここで、ブラシ８を装着した時には、操作子２６の鉤部２８がブラシ８のフック２７でバネ３０側に押圧され、鉤部２８の基端部２８ｂが本体１側の嵌合孔２９とが嵌合する位置に操作子２６が固定されるので、本体１と基台７とを閉じた状態でロックすることができ、ブラシ８の使用時に本体１と基台７とが開くことがない。一方、ブラシ８を取外した時には、ブラシ８のフック２７による操作子２６の鉤部２８の押圧が解除され、操作子２６はバネ３０により本体１の嵌合孔３９から外れる位置に固定されるので、本体１と基台
７との間に髪を挟み込んでストレートにしているときに、誤って本体１と基台７とが閉じた状態でロックされてしまうことがなく、安心して癖直しを行なうことができる。
【００２４】
また、操作子２６を規制するバネ３０を省略して、操作子２６を鉤部２８が嵌合孔２９から外れる位置と、鉤部２８が嵌合孔２９に嵌合する位置とでスライド自在にすることによって、ブラシ８の着脱操作と、本体１と基台７とを閉じた状態でロックする操作とを単一の操作子２６で行なうことができる。つまりバネ３０があると、操作子２６はブラシ８の着脱操作に連動して本体１と基台７とを閉じた状態で自動的にロックされるものであるが、バネ３０を無くすことで、ブラシ８が装着されていない場合に本体１と基台７とを閉じた状態でロックすることができると共に、操作子２６の数が１つで済むので、構成の簡素化を図ることができる。
【００２５】
（実施例２）
本発明の第２の実施例を図７に示す。本実施例ではブラシ８を基台７を介さずに本体１に直接固定したものであり、ブラシ８の着脱手段は、本体１のスチーム噴出孔１２の近傍の両側にて押し込み自在に設けられた操作釦３７と、この操作釦３７を突出する方向にバネ付勢するバネ３３と、ブラシ８側に設けられて操作釦３７が係脱自在となったフック３２とで構成され、ブラシ８を本体１に押し込むことにより操作釦３７がブラシ８のフック３２に嵌合して本体１とブラシ８とを固定し、且つ操作釦３７をバネ３３のバネ力に抗して押し込むことにより、操作釦３７とフック３２との嵌合状態が解除されてブラシ８が本体１から離脱自在となるようになっている。このようにブラシ８を基台７を介さずに本体１に直接固定することで、本体１のスチーム噴出孔１２とブラシ８との間で行なわれる弾性材２３と突起２２（図５）とによるシールがより確実に漏れなく実施されるようになる。しかも、ブラシ８は長手方向の両端で本体１と固定されるのではなく、長手方向と直交する方向の両側で固定されるので、ブラシ８と本体１との固定、支持を行なう部分の距離が長手方向と直交する方向の両側で固定する場合と比較して短くなり、これにより、弾性材２３に突起２２（図５）が押されて生じる撓みが少なくて済み、より確実にシールを行なうことができるものである。
【００２６】
図８は、ブラシ８に本体１の側面を覆う形状の側面壁３６を設け、この側面壁３６を本体１の背面よりも突出させた構造を示している。この場合、本体１を床面等に載置した場合、側面壁３６によりスチーム噴出孔１２の方向を固定でき、スチーム噴出孔１２からのスチームが上方へ向けて障害なく通過する位置に向けることができ、周辺の物にスチームが当たることによる結露の発生を防止することができる。
【００２７】
図９乃至図１１は、ブラシ８の非装着時又は装着時における本体１と基台７との開閉状態を示している。ブラシ８の着脱係合部分として設けた本体１の最先端側の突出部分には本体１と基台７とを閉じた際に接する突起３５が設けられ、本体１と基台７とを閉じた際に生じる位置ずれを突起３５によって防止できるようになっている。これにより、基台７側のブリスル１７と本体１側のブリスル１７とが接触してかみ合わなくなる現象を防止して、本体１と基台７とを閉じた際に両者の位置ずれを防止できるものである。
【００２８】
（実施例３）
本発明の第３の実施例を図１２乃至図１８に示す。
【００２９】
従来のスチームヘアセッターでは、頭頂部付近の癖毛を伸ばしたり、毛髪の手入れをする場合には、別部品のブラシを取付けて使用しなければならないため、ブラシの取外しに手間がかかると共に、髪を押え板で挟み込んで使用する際にはブラシを適当な場所に保管するためのスペースを確保しなければならない。また、取外して保管されるために、ブラシが紛失するなどの問題もある。
【００３０】
そこで、本実施例では、スチーム噴出孔１２が設けられる本体１と対向する基台７に、本体１と基台７との回転軸４１（図１５）と直交する軸線を有する一対のブラシ回転軸４２を基台７の長さ方向に沿って並設し、各ブラシ回転軸４２にブラシ回転軸４２を中心に回転自在となった左右一対のスイッチ部として機能する基台回転部４３を夫々設けたものである。他の構成は図１の実施例と同様である。
【００３１】
一対の基台回転部４３は、左右対称構造を有しており、一方の基台回転部４３について
説明する。基台回転部４３の一側面には、図１７に示すように、本体１のスチーム噴出孔１２の近傍に配設されるブリスル１７と対向するブリスル１７が突設されており、基台回転部４３の上記一側面と隣合う一方の他側面には本体１側のブリスル１７が嵌合自在となった溝部４４が凹設され、他方の他側面にはブラシ部８′のブラシブリスル８ａが上記ブリスル１７と直交する方向に突設され、更に上記溝部４４を挟んでブリスル１７とは反対側の部位に、ブラシブリスル８ａの突出方向とは反対方向に突出するフック部４５が突設されている。一方、本体１のヘッド部４の外側面には、上記フック部４５の先端に設けた凸部４５ａと嵌合可能な凹部４６が凹設されている。なお、スチーム噴出孔１２が設けられた本体１とこれに対向する基台７とは回転軸４１（図１５）を介して開閉自在に取付けられると共に、回転軸４１よりもタンク６方向にずれた位置に、本体１と基台７とを常に開放させる機能を有する回転バネ４０が配設されている。
【００３２】
次に動作を説明する。
【００３３】
先ず、ブラシ部８′を用いて癖直しを行なう場合、図１７に示すように、ブラシ部８′を起動させてブラッシングによる癖直しを行なう。つまり、本体１と基台７とを開いた状態で、基台回転部４３を回転させてブラシブリスル８ａをスチーム噴出孔１２から見て反対側の面から突出させる（図１７、図１８（ａ）の状態）。このとき、基台回転部４３に設けられたフック部４５が本体１のヘッド部４の外側面に向けて突出する形となり、この状態で本体１と基台７とを閉じることにより、フック部４５の先端の凸部４５ａが本体１側の凹部４６に嵌合し、基台７と本体１とを閉じた状態で固定することができる。そして、基台回転部４３間の開口部１４からスチームを噴出させながら、頭頂部の髪をブラシブリスル８ａでブラッシングすることにより、癖直しが難しい頭頂部の髪を伸ばすことができる。またこのとき、本体１側のブリスル１７は基台７の基台回転部４３に設けられた溝部４４に嵌合される構造となっており、この嵌合によって使用中にフック部４５が本体１の凹部４６から容易に外れないようにでき、使い勝手が良いものである。
【００３４】
一方、ブラシ部８′を使用しないで癖直しを行なう場合、図１２〜図１５に示すように、本体１と基台７とを開いた状態（図１２の状態）とし、基台回転部４３を回転させて基台７のブリスル１７を本体１側のブリスル１７と対向する位置に配置する（図１４の状態）。このとき、基台回転部４３に設けられたフック部４５が基台回転部４３の側方に向けて突出する形となり、この状態で本体１と基台７とを閉じてスチーム噴出孔１２からスチームを噴出させることにより、押え板１６，１６間に髪を挟み込んで癖直しをすることができる。またこのとき、ブラシブリスル８ａは基台回転部４３間の開口部１４に収納される構造となり、これによって使用中にブラシ部８′が邪魔にならないようにすることができる。
【００３５】
このように基台７に配設したブラシ起倒用の基台回転部４３を切り換えて、スチーム噴出孔１２から見て反対側の面でブラシブリスル８ａを起倒させるようにしたから、ブラシ部８′が必要な状況において別部材のブラシを持ってきたり、取付けたりする動作が必要でなくなり、髪を押え板１６で挟み込んで使用する場合でも、ブラシ部８′を適当な場所に保管するためのスペースを確保したりする必要がなくなり、これに伴いブラシ部８′の紛失防止も図られ、携帯性に便利で、且つ操作性に優れたスチームヘアセッターを得ることができるという利点がある。
【００３６】
（実施例４）
本発明の第４の実施例を図１９乃至図２２に示す。本実施例では、ブラシブリスル８ａの起倒を、本体１に設けたブラシ回転軸５０の軸まわりにブラシブリスル８ａを回動させることにより行うものである。他の構成は図１の実施例と同様である。
【００３７】
本体１のヘッド部４の両側面には左右一対のブラシ基台５１が夫々配設され、各ブラシ基台５１はブラシ回転軸５０を中心としてヘッド部４に対して回転自在に支持されている。各ブラシ基台５１の内側面には、図２２に示すように、本体１側に設けた位置決め用凹所５３に向けてバネ５５によって一対の位置決め用突起５４が弾入しており、ブラシ基台５１が位置決めされている。
【００３８】
通常の使用時には、図１９及び図２１（ａ）に示すように、ブラシ基台５１のブリスル
１７を基台７のブリスル１７と対向する位置に配置することにより、通常の癖毛伸ばしを行うことができる。一方、頭頂部の使用に際しては、図２０及び図２１（ｂ）に示すように、ブラシ基台５１をブラシ回転軸５０を中心に１８０°回転させることで、ブラシ基台５１のブラシブリスル８ａを基台７側に向けて配置することができ、ブラシブリスル８ａによって頭頂部の癖毛直しを行うことができる。またこのとき、ブラシ基台５１側に配置された位置決め用突起５４がバネ５５によって本体１側の位置決め用凹所５３に押し付けられた構造となっているので、上記のようにブラシ基台５１を１８０°回転させたとき、突起５４と凹所５３との嵌合によってブラシ基台５１の位置決めがなされ、容易に切り換えて癖毛直し効果が得られるようになる。
【００３９】
（実施例５）
本実施例では、図２３及び図２４に示すように、ブラシブリスル８ａの起倒方向に回転自在となった回転操作部６０の回転軸をブラシブリスル８ａの基部に連結したものである。他の構成は図１の実施例と同様である。
【００４０】
本体１のヘッド部４の両側面に回転操作部６０を夫々設けてある。回転操作部６０は、ブラシブリスル８ａと同軸上に配置されてブラシブリスル８ａの基端部を押圧駆動するカム６１と、ブラシブリスル８ａの基端部をカム６１に常に接触させるためのバネ６２と、ヘッド部４の外部から上記カム６１を回転操作するための回転つまみ部６３とで構成され、この回転つまみ部６３を一方向に回転させることにより、ブラシブリスル８ａと同軸上に配置されたカム６１を回転つまみ部６３と同方向に回転させて、ブラシブリスル８ａを突出させることができ、且つ、回転つまみ部６３を逆方向に回転させることにより、カム６１が逆回転してブラシブリスル８ａを収納することができる。従って、カム６１の形状によりブラシブリスル８ａの有効使用長を任意に可変でき、上記実施例４と同様、ブラシ部８′の突出又は収納を自由に切り替えることができるようになる。しかもブラシブリスル８ａの基端部はバネ６２により常にカム６１と接触する構造となっており、ブラシブリスル８ａの長さの可変がスムーズに行われるという利点がある。
【００４１】
（実施例６）
本実施例では、図２５に示すように、ブラシブリスル８ａの起倒方向にスライド自在となったスライドレバー７０をブラシブリスル８ａの基部に連結したものである。本実施例では、ブラシブリスル８ａが本体１のヘッド部４に設けた開口部から進退自在とされると共に、本体１のヘッド部４の両側面に、ブラシブリスル８ａをスライドさせるためのスライドレバー７０が配設されている。従って、スライドレバー７０のスライド操作によってブラシブリスル８ａの有効使用長を任意に可変できるようになり、しかもスライドレバー７０の操作によってブラシブリスル８ａの長さの可変をスムーズに行うことができるものである。
【００４２】
（実施例７）
本実施例では、図２６に示すように、本体１側に、本体１と基台７との閉時にブラシブリスル８ａを起立方向に押圧し且つ本体１と基台７との開時に本体１側のブリスル１７によってブラシブリスル８ａの押圧を解除するようにしたものである。他の構成は図１の実施例と同様である。本実施例では、基台７内にブリスル１７とブラシブリスル８ａとが相反する方向に向いた状態で収納されると共に、バネ８０によってブリスル１７及びブラシブリスル８ａは本体１側に向けて常にバネ付勢されている。従って、本体１と基台７とを閉じ合わせたときに本体１側のブリスル１７がブラシブリスル８ａを押し下げることにより、ブラシブリスル８ａがスチーム噴出孔１２から見て反対側の面から突出され、ブラシ部８′を使用できるようになり、また本体１と基台７とを開いた状態にすると、基台７内に配置されたバネ８０がブラシブリスル８ａを基台７に収納される方向に加重を加えるので、ブラシブリスル８ａが基台７内に自動的に収納されるようになる。このように、基台７と本体１とを開閉するだけでブラシブリスル８ａを使用又は収納状態に切り替えることができるので、上記実施例のような切り替え操作が必要でなくなり、使い勝手が一段と良くなる。
【００４３】
尚、上記各実施例では、スチーム噴出孔１２から外側に向けて押え板１６とブリスル１
７とをこの順序で配置したが、これに限定されるものではなく、スチーム噴出孔１２から外側に向けてブリスル１７と押え板１６とをこの順序で配置してもよく、この場合においても使用者はどちらの方向からブラッシングしても、同一の癖直し効果を得ることができるものである。
【００４４】
【発明の効果】
上述のように、請求項１の発明では、スチーム発生機構を内蔵した本体に対して開閉自在に基台を設け、本体の基台との対向面にスチームを噴出させるスチーム噴出孔を臨ませ、本体と基台との各対向面からそれぞれ他方の対向面に向けてブリスルをそれぞれ突設し、本体と基台との各対向面にブリスルの突出方向と略直角の面で毛髪を両側から挟持する押え板をそれぞれ設けたから、ブリスルによる癖伸ばしと押え板による毛伸ばしとを同時に行なうことができ、しかもブリスルと押え板とは癖毛を矯正する方向が略直角方向であるために、癖毛の任意の方向の曲がりや微妙な曲がりまで容易に矯正することができる。その結果、生まれながらの髪質による癖毛や、矯正が困難とされている癖毛を容易にストレートに伸ばすことができると共に、ストレートの状態を長く持続させることができ、しかも従来のヘアーアイロン等では挟み込むことが困難であった頂頭部付近の癖毛も容易に伸ばすことができ、さらに毛髪を傷めることなく癖毛をストレートに伸ばすことができるという効果を奏する。また、押え板の毛髪を押さえる平面部分がブリスルの根元よりもブリスルの突出先端側の位置に形成されたから、ブリスルを通過した後の毛髪が押え板に接触できなくなるという事態を回避でき、毛髪を押え板にて確実にプレスして、加熱することができるという効果を奏する。
【００４５】
請求項２の発明では、請求項１のブリスルの先端は押え板により形成される毛髪を押さえる面よりも高い位置に突出して成るから、請求項１の効果に加えて、毛髪がブリスルに櫛通しされる際に押え板が邪魔になることがなく、すべてのブリスルで毛髪を確実に捕らえることができるようになる。
【００４６】
請求項３の発明では、請求項１のブリスル及び押え板の外側にブリスル及び押え板を通過した毛髪を押さえる突出部を設け、この突出部の高さを押え板により形成される毛髪を押さえる面と同一高さ又はそれよりも低い位置に設定して成るから、請求項１の効果に加えて、ブリスル及び押え板を通過した毛髪が突出部にて押さえられることにより、突出部によってブリスル及び押え板を通過した毛髪が曲がるのを防止できる。
【００４７】
請求項４の発明では、請求項１の隣合うブリスル同士をつなぐ突出部を設け、この突出部の高さを押え板により形成される毛髪を押さえる面と同じ高さ又はそれより低く設定して成るから、請求項１の効果に加えて、突出部によってブリスルを通過した後の髪の曲がりを防止できると同時に、ブリスルの補強効果が得られるものである。
【００４８】
請求項５の発明では、請求項１のスチーム噴出孔の両側にブリスル及び押え板を設置し、押え板を加熱して熱板としたから、請求項１の効果に加えて、スチームを噴出するスチーム噴出孔の両側にブリスル及び押え板が配置されることで、使用者はどちらの方向からブラッシングしても、同一の癖直し効果を得ることができ、使い勝手が良くなる。
【図面の簡単な説明】
【図１】本発明の一実施例の斜視図である。
【図２】同上の本体と基台を閉じた状態の斜視図である。
【図３】同上のスチームヘアーセッターの側面断面図である。
【図４】同上の基台にブラシを装着した状態の斜視図である。
【図５】同上のスチームヘアーセッターの正面断面図である。
【図６】同上のブラシを装着した状態の側面断面図である。
【図７】（ａ）（ｂ）は同上のブラシの着脱手段を本体の両側面に設けた場合を説明する側面断面図及び正面図である。
【図８】（ａ）（ｂ）は同上の本体の背面に側面壁を突出させた場合を説明する正面図及び側面図である。
【図９】（ａ）（ｂ）は同上のブラシを使用しない場合における本体と基台とを閉じた状態の側面図及び正面図である。
【図１０】同上のブラシを使用しない場合における本体と基台とを開いた状態の正面図である。
【図１１】（ａ）（ｂ）は同上のブラシを装着した場合における本体と基台とを開いた状態の側面図及び正面図である。
【図１２】本発明の更に他の実施例の斜視図である。
【図１３】同上の本体と基台とを閉じ合わせた状態の斜視図である。
【図１４】（ａ）（ｂ）は癖直しを行う場合の動作説明図である。
【図１５】同上の本体と基台とを開いた状態の一部断面側面図である。
【図１６】同上のブラシブリスルを突出させた状態の斜視図である。
【図１７】同上のブラシブリスルを突出させた状態の断面図である。
【図１８】（ａ）はブラシブリスルを収納した状態の側面図、（ｂ）はブラシブリスルを突出させた状態の要部側面図である。
【図１９】（ａ）（ｂ）は本発明の更に他の実施例を示す動作説明図である。
【図２０】同上のブラシブリスルを突出させた状態の断面図である。
【図２１】（ａ）はブラシブリスルを収納した状態の側面図、（ｂ）はブラシブリスルを突出させた状態の要部側面図である。
【図２２】同上のブラシ基台の回転機構を説明する断面図である。
【図２３】（ａ）（ｂ）は本発明の更に他の実施例の動作説明図である。
【図２４】同上のスチームヘアセッターの斜視図である。
【図２５】本発明の更に他の実施例の斜視図である。
【図２６】本発明の更に他の実施例の断面図である。
【符号の説明】
２ スチーム発生機構
１２ スチーム噴出孔
１７ ブリスル
１６ 押え板
【図１】
0003584541.tif 000002
【図２】
0003584541.tif 000003
【図３】
0003584541.tif 000004
【図４】
0003584541.tif 000005
【図５】
0003584541.tif 000006
【図６】
0003584541.tif 000007
【図７】
0003584541.tif 000008
【図８】
0003584541.tif 000009
【図９】
0003584541.tif 000010
【図１０】
0003584541.tif 000011
【図１１】
0003584541.tif 000012
【図１２】
0003584541.tif 000013
【図１３】
0003584541.tif 000014
【図１４】
0003584541.tif 000015
【図１５】
0003584541.tif 000016
【図１６】
0003584541.tif 000017
【図１７】
0003584541.tif 000018
【図１８】
0003584541.tif 000019
【図１９】
0003584541.tif 000020
【図２０】
0003584541.tif 000021
【図２１】
0003584541.tif 000022
【図２２】
0003584541.tif 000023
【図２３】
0003584541.tif 000024
【図２４】
0003584541.tif 000025
【図２５】
0003584541.tif 000026
【図２６】
0003584541.tif 000027